(57)【要約】【課題】この発明は、例えばデジタルカメラ等で生成されインターレース方式で得られる動画映像に順次走査変換処理を施して高画質で表示することを可能としたテレビジョン受信装置及びその制御方法を提供することを目的としている。【解決手段】選択・制御回路１６から、映像信号切替回路１２に対して、メモリカード１５から読み出した映像信号を選択出力させる信号が出力された状態で、映像信号切替回路１２で選択出力された映像信号の方式を検出する入力信号検出回路１８に、２−２プルダウン方式に対応する検出結果を出力させることにより、入力映像信号に順次操作変換処理を施す映像信号処理回路１７に、強制的に逆２−２プルダウン変換処理を行なわせる。【選択図】    図１
2005026885.tif 000002
【特許請求の範囲】
【請求項１】
アンテナで受信して得られた映像信号と、外部接続された機器から供給された映像信号と、記憶媒体から読み出した映像信号とがそれぞれ入力され、出力選択用の指示信号に応答していずれか１つの映像信号を選択的に出力する切替手段と、
前記切替手段によって選択出力された映像信号の方式を検出する検出手段と、
前記切替手段に対して前記出力選択用の指示信号を与えるとともに、この指示信号が前記記憶媒体から読み出した映像信号を選択する信号である場合に、前記検出手段から予め設定された特定の方式に対応する検出結果を出力させるように制御する選択・制御手段と、
前記切替手段から選択出力された映像信号に、前記検出手段で検出された方式に対応した順次走査変換処理を施す信号処理手段と、
この信号処理手段で順次走査変換処理の施された映像信号を表示する表示手段と、を具備したことを特徴とするテレビジョン受信装置。
【請求項２】
前記選択・制御手段の制御とは無関係に、前記検出手段から前記予め設定された特定の方式に対応する検出結果を出力させる操作手段を具備したことを特徴とする請求項１記載のテレビジョン受信装置。
【請求項３】
前記信号処理手段は、
インターレース方式の静止画映像信号をプログレッシブ方式の静止画映像信号に変換する第１の順次走査変換処理と、
インターレース方式の動画映像信号をプログレッシブ方式の動画映像信号に変換する動き適応型の第２の順次走査変換処理と、
２−２プルダウン方式の動画映像信号に逆２−２プルダウン変換処理を施してプログレッシブ方式の動画映像信号に変換する第３の順次走査変換処理とを実行可能であることを特徴とする請求項１または２記載のテレビジョン受信装置。
【請求項４】
前記選択・制御手段は、前記記憶媒体から読み出した映像信号を選択する指示信号を出力したとき、前記検出手段から前記２−２プルダウン方式の動画映像信号に対応する検出結果を出力させ、前記信号処理手段は、逆２−２プルダウン変換処理を行なうことを特徴とする請求項３記載のテレビジョン受信装置。
【請求項５】
前記操作手段は、前記検出手段から前記２−２プルダウン方式の動画映像信号に対応する検出結果を出力させることにより、前記信号処理手段に逆２−２プルダウン変換処理を行なわせることを特徴とする請求項３記載のテレビジョン受信装置。
【請求項６】
アンテナで受信して得られた映像信号と、外部接続された機器から供給された映像信号と、記憶媒体から読み出した映像信号とを出力指示信号に応答して選択的に切り替えて出力する工程と、
選択出力された映像信号の方式を検出して検出結果を出力するとともに、前記出力指示信号によって前記記憶媒体から読み出した映像信号が選択出力された場合に、予め設定された特定の方式に対応する検出結果を出力させる工程と、
選択出力された映像信号に、前記検出された方式に対応した順次走査変換処理を施す工程と、
順次走査変換処理の施された映像信号を表示する工程とを具備したことを特徴とするテレビジョン受信装置の制御方法。
【請求項７】
前記出力指示信号とは無関係に、外部操作によって前記予め設定された特定の方式に対応する検出結果を出力させる工程を具備したことを特徴とする請求項６記載のテレビジョン受信装置の制御方法。
【請求項８】
前記順次走査変換処理は、
インターレース方式の静止画映像信号をプログレッシブ方式の静止画映像信号に変換する順次走査変換処理と、
インターレース方式の動画映像信号をプログレッシブ方式の動画映像信号に変換する動き適応順次走査変換処理と、
２−２プルダウン方式の動画映像信号に逆２−２プルダウン変換処理を施してプログレッシブ方式の動画映像信号に変換する順次走査変換処理とを含むことを特徴とする請求項６または７記載のテレビジョン受信装置の制御方法。
【請求項９】
前記予め設定された特定の方式は、２−２プルダウン方式あることを特徴とする請求項６記載のテレビジョン受信装置の制御方法。
【請求項１０】
外部操作によって、２−２プルダウン方式の動画映像信号に対応する検出結果を出力することを特徴とする請求項７記載のテレビジョン受信装置の制御方法。
【発明の詳細な説明】
【０００１】
【発明の属する技術分野】
この発明は、例えばデジタルカメラ等に着脱可能な携帯型の記憶媒体を装着して、そこに記録されている映像信号を画面に表示する機能を備えたテレビジョン受信装置及びその制御方法に関する。
【０００２】
【従来の技術】
周知のように、デジタルカメラでは、半導体メモリを内蔵した携帯型のメモリカードが着脱可能になっている。そして、デジタルカメラでは、撮影した被写体の光学像を電気的な映像信号に変換し、メモリカードに記憶させている。この場合、メモリカードに記憶された映像信号は、プログレッシブ方式である。
【０００３】
また、このようなメモリカードを装着し、そこに記録されている映像信号を画面表示する機能を有するテレビジョン受信装置が開発されている。このテレビジョン受信装置は、メモリカードから読み取った映像信号を、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）のインターレース方式に変換して、ＣＲＴ（Ｃａｔｈｏｄｅ  Ｒａｙ  Ｔｕｂｅ）に映像表示させている。
【０００４】
また、このテレビジョン受信装置では、インターレース方式に変換された映像信号に順次走査変換処理を施して、プログレッシブ方式の映像信号に変換することにより、表示映像の高画質化を図ることもできる。
【０００５】
ここで、メモリカードから読み取った映像信号が静止画映像である場合には、インターレース変換後の隣接するフィールドの映像信号を合成する順次走査変換処理が施されることによって、メモリカードに記録された原映像そのままの品位で、静止画映像の表示が行なわれる。
【０００６】
一方、メモリカードから読み取った映像信号が動画映像である場合には、インターレース変換後の各フィールドに対して、それぞれ走査線補間による順次走査変換処理が施されるため、表示される映像の品位が劣化するという問題が生じている。
【０００７】
この問題は、特に、画面の垂直方向に輪郭が不鮮明になるボケ感、斜め線が階段状になるギザツキ感として、ユーザに視認される。また、この問題は、メモリカードに記録された映像信号に対して、スライド・サムネール・ズーム等の編集処理を施して作成した動画映像を表示させる場合にも、同様に生じる。
【０００８】
特許文献１は、異なるテレビジョン方式の映像信号を表示する際に、テレビジョン方式の映像信号形式と表示モニタの種類とに応じて、フリッカ妨害が少なく高画質な映像表示を実現することができるように、順次倍速変換またはフィールド倍速変換を行なうようにしたもので、上記した問題を解決することについては何らの記載もなされていないものである。
【０００９】
【特許文献１】
特開２００２−１０２１９号公報
【００１０】
【発明が解決しようとする課題】
そこで、この発明は上記事情を考慮してなされたもので、例えばデジタルカメラ等で生成されインターレース方式で得られる動画映像に順次走査変換処理を施して高画質で表示することを可能としたテレビジョン受信装置及びその制御方法を提供することを目的とする。
【００１１】
【課題を解決するための手段】
この発明に係るテレビジョン受信装置は、アンテナで受信して得られた映像信号と、外部接続された機器から供給された映像信号と、記憶媒体から読み出した映像信号とがそれぞれ入力され、出力選択用の指示信号に応答していずれか１つの映像信号を選択的に出力する切替手段と；切替手段によって選択出力された映像信号の方式を検出する検出手段と；切替手段に対して出力選択用の指示信号を与えるとともに、この指示信号が記憶媒体から読み出した映像信号を選択する信号である場合に、検出手段から予め設定された特定の方式に対応する検出結果を出力させるように制御する選択・制御手段と；切替手段から選択出力された映像信号に、前記検出手段で検出された方式に対応した順次走査変換処理を施す信号処理手段と、この信号処理手段で順次走査変換処理の施された映像信号を表示する表示手段とを備えるようにしたものである。
【００１２】
また、この発明に係るテレビジョン受信装置の制御方法は、アンテナで受信して得られた映像信号と、外部接続された機器から供給された映像信号と、記憶媒体から読み出した映像信号とを出力指示信号に応答して選択的に切り替えて出力する工程と；選択出力された映像信号の方式を検出して検出結果を出力するとともに、出力指示信号によって記憶媒体から読み出した映像信号が選択出力された場合に、予め設定された特定の方式に対応する検出結果を出力させる工程と；選択出力された映像信号に、検出された方式に対応した順次走査変換処理を施す工程と；順次走査変換処理の施された映像信号を表示する工程とを備えるようにしたものである。
【００１３】
上記のような構成及び方法によれば、記憶媒体から読み出した映像信号を選択出力させる指示信号が出力された状態で、予め設定された特定の方式に対応する検出結果を出力させることにより、その方式に対応する順次走査変換処理を強制的に施させるようにしたので、例えばデジタルカメラ等で生成されインターレース方式で得られる動画映像に順次走査変換処理を施して高画質で表示することを可能とすることができる。
【００１４】
【発明の実施の形態】
以下、この発明の実施の形態について、図面を参照して詳細に説明する。図１は、この実施の形態で説明するテレビジョン受信機を示している。すなわち、このテレビジョン受信機は、アンテナ１１で受信したテレビジョン信号を映像信号切替回路１２に供給している。
【００１５】
また、このテレビジョン受信機は、外部機器接続部１３を有している。この外部機器接続部１３は、映像信号を出力可能な図示しない外部機器を任意に接続可能とするもので、接続された外部機器から供給される様々な方式の映像信号を、映像信号切替回路１２に供給している。
【００１６】
さらに、このテレビジョン受信機は、記憶媒体接続部１４を有している。この記憶媒体接続部１４は、例えばデジタルカメラに使用されるメモリカード１５を装着可能とするもので、装着されたメモリカード１５から映像信号を読み取り、インターレース方式に変換して、映像信号切替回路１２に供給している。
【００１７】
そして、上記映像信号切替回路１２は、選択・制御回路１６から出力される選択・制御信号に基づいて、アンテナ１１、外部機器接続部１３及び記憶媒体接続部１４から供給される映像信号を選択的に切り替えて、映像信号処理回路１７及び入力信号検出回路１８に出力している。
【００１８】
このうち、入力信号検出回路１８は、入力された映像信号の方式を検出する機能を有している。例えば、ＮＴＳＣ圏（映像垂直周波数６０Ｈｚ）において映画ソース等に使用されている３−２プルダウン方式、ＰＡＬ（Ｐｈａｓｅ  Ａｌｔｅｒｎａｔｉｏｎ  ｂｙ  Ｌｉｎｅ  ｃｏｌｏｒ  ｔｅｌｅｖｉｓｉｏｎ）圏（映像垂直周波数５０Ｈｚ）において映画、カード及びグラフィックソース等に使用されている２−２プルダウン方式、これら以外の通常のインターレース方式の静止画映像及び動画映像の検出を行なっている。
【００１９】
ここで、３−２プルダウン方式とは、図２（ａ）に示すように、時間的に連続する複数の映像フレームＡ，Ｂ，Ｃ，Ｄ，……から、交互に、同図（ｂ）に示すように、インターレース方式の３枚のフィールドと２枚のフィールドとを生成して、伝送させるものである。
【００２０】
このような３−２プルダウン方式で伝送された映像信号は、受信側において、図２（ｃ）に示すように、一定の規則に基づいて隣接するフィールド同士を合成する逆３−２プルダウン変換を行なうことにより、プログレッシブ方式の３枚のフレームと２枚のフレームとに変換されて、映像表示に供される。
【００２１】
また、２−２プルダウン方式とは、図３（ａ）に示すように、時間的に連続する複数の映像フレームＡ，Ｂ，Ｃ，Ｄ，……から、それぞれ、同図（ｂ）に示すように、インターレース方式の２枚のフィールドを生成して、伝送させるものである。
【００２２】
このような２−２プルダウン方式で伝送された映像信号は、受信側において、図３（ｃ）に示すように、一定の規則に基づいて隣接するフィールド同士を合成する逆２−２プルダウン変換を行なうことにより、プログレッシブ方式の２枚のフレームに変換されて、映像表示に供される。
【００２３】
そして、上記映像信号処理回路１７は、入力された映像信号に対して、入力信号検出回路１８の検出結果に基づいた順次走査変換処理を実行する。すなわち、入力映像信号が、３−２プルダウン方式の場合は逆３−２プルダウン変換処理、２−２プルダウン方式の場合は逆２−２プルダウン変換処理、それ以外のインターレース方式の場合は、静止画映像に応じた順次走査変換処理、動画映像に応じた動き適応順次走査変換処理を実行する。
【００２４】
このようにして、映像信号処理回路１７により順次走査変換処理の施された映像信号は、出力フォーマット変換回路１９に供給されて、所定の表示フォーマットに対応した形態に変換された後、ＣＲＴ等の表示部２０に供給されて映像表示される。
【００２５】
ここで、上記選択・制御回路１６から出力される選択・制御信号は、入力信号検出回路１８にも供給されている。この入力信号検出回路１８は、入力された選択・制御信号が、記憶媒体接続部１４から出力される映像信号を選択するものであった場合、２−２プルダウン方式を検出したことを示す検出信号を映像信号処理回路１７に出力し、映像信号処理回路１７に強制的に逆２−２プルダウン変換処理を行なわせるように動作する。
【００２６】
今、メモリカード１５に、図４（ａ）に示すような、プログレッシブ方式の動画映像信号が記録されているとすると、この動画映像信号は、記憶媒体接続部１４によって読み出され、図４（ｂ）に示すような、インターレース方式の映像信号に変換されて、映像信号切替回路１２に出力される。
【００２７】
このような状態で、選択・制御回路１６から、記憶媒体接続部１４の出力映像信号を映像信号切替回路１２に選択させる選択・制御信号が出力されると、映像信号処理回路１７は、入力される映像信号に対して強制的に逆２−２プルダウン変換処理を実行する。
【００２８】
すなわち、映像信号処理回路１７は、図４（ｂ）に示すインターレース方式の映像信号に対して、図４（ｃ）に示すように、一定の規則に基づいて隣接するフィールド同士を合成し、プログレッシブ方式の映像信号に変換して出力する。これにより、図４（ａ）に示した原映像と同じレベルの高画質な動画映像信号を得ることができる。
【００２９】
この点に関し、現状のテレビジョン受信装置では、図５（ａ）に示すプログレッシブ方式の動画映像信号を、図５（ｂ）に示すインターレース方式の映像信号に変換し、この各フィールドの映像信号をプログレッシブ方式に変換する際、走査線補間による順次走査変換処理を施している。
【００３０】
この走査線補間では、補間信号がそのフィールド内の上下のラインの信号の平均値で生成されるため、上下のラインが共に黒信号の場合、補間信号は黒信号となり、上下のラインが共に白信号の場合、補間信号は白信号となり、上下のラインが黒信号と白信号の場合、補間信号は灰色信号となる。
【００３１】
このため、図５（ｃ）に斜線で示すように、プログレッシブ方式に変換された映像信号には、画面の垂直方向に輪郭が不鮮明になるボケ感、斜め線が階段状になるギザツキ感が現われ、画質が劣化することになる。
【００３２】
また、メモリカード１５に、図６（ａ）に示すような、プログレッシブ方式の静止画映像信号が記録されており、この静止画映像信号が、記憶媒体接続部１４によって読み出され、図６（ｂ）に示すような、インターレース方式の映像信号に変換されて、映像信号切替回路１２に出力されている場合にも、映像信号処理回路１７に逆２−２プルダウン変換処理を実行させることにより、図６（ｂ）に示すインターレース方式の映像信号に対して、図６（ｃ）に示すように、一定の規則に基づいて隣接するフィールド同士を合成し、プログレッシブ方式の映像信号を生成することができる。
【００３３】
なお、現状のテレビジョン受信装置では、図７（ａ）に示すプログレッシブ方式の静止画映像信号を、図７（ｂ）に示すインターレース方式の映像信号に変換し、この映像信号をプログレッシブ方式に変換する際に、図７（ｃ）に示すように、隣接するフィールド同士を合成する順次走査変換処理を施している。
【００３４】
図８は、上記した実施の形態の変形例を示している。図８において、図１と同一部分に同一符号を付して説明すると、上記選択・制御回路１６から出力される選択・制御信号と、ユーザが操作する選択操作部２１から出力される操作信号とが、論理和回路２２を介して上記入力信号検出回路１８に供給されるようになっている。
【００３５】
そして、入力信号検出回路１８は、選択・制御回路１６から記憶媒体接続部１４の出力映像信号を選択する選択・制御信号が出力された場合、または、選択操作部２１から操作信号が出力された場合に、２−２プルダウン方式を検出したことを示す検出信号を映像信号処理回路１７に出力し、映像信号処理回路１７に強制的に逆２−２プルダウン変換処理を行なわせるように動作する。
【００３６】
すなわち、メモリカード１５に記録された映像信号だけでなく、アンテナ１１で受信したテレビジョン信号や、外部機器接続部１３に接続された外部機器から供給される映像信号に対しても、ユーザの必要に応じて、映像信号処理回路１７により逆２−２プルダウン変換処理を施すことができるようにしている。
【００３７】
このようにすれば、映像信号処理回路１７に供給された映像信号が２−２プルダウン方式であるにもかかわらず、ノイズの混入等により入力信号検出回路１８で２−２プルダウン方式であると正しく検出することができず、通常の動画映像信号であると判別されてしまうような場合、ユーザが選択操作部２１を操作して映像信号処理回路１７に強制的に逆２−２プルダウン変換処理を行なわせることができ、効果的である。
【００３８】
なお、この発明は上記した実施の形態そのままに限定されるものではなく、実施段階ではその要旨を逸脱しない範囲で構成要素を種々変形して具体化することができる。
【００３９】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００４０】
【発明の効果】
以上詳述したようにこの発明によれば、例えばデジタルカメラ等で生成されインターレース方式で得られる動画映像に順次走査変換処理を施して高画質で表示することを可能としたテレビジョン受信装置及びその制御方法を提供することができる。
【図面の簡単な説明】
【図１】この発明の実施の形態を示すもので、テレビジョン受信機を説明するために示すブロック構成図。
【図２】同テレビジョン受信機に入力される映像信号の３−２プルダウン方式を説明するために示す図。
【図３】同テレビジョン受信機に入力される映像信号の２−２プルダウン方式を説明するために示す図。
【図４】同テレビジョン受信機における動画映像信号の処理動作を説明するために示す図。
【図５】現状のテレビジョン受信機における動画映像信号の処理動作を説明するために示す図。
【図６】同実施の形態のテレビジョン受信機における静止画映像信号の処理動作を説明するために示す図。
【図７】現状のテレビジョン受信機における静止画映像信号の処理動作を説明するために示す図。
【図８】同実施の形態の変形例を説明するために示すブロック構成図。
【符号の説明】
１１…アンテナ、１２…映像信号切替回路、１３…外部機器接続部、１４…記憶媒体接続部、１５…メモリカード、１６…選択・制御回路、１７…映像信号処理回路、１８…入力信号検出回路、１９…出力フォーマット変換回路、２０…表示部、２１…選択操作部、２２…論理和回路。
【図１】
2005026885.tif 000003
【図２】
2005026885.tif 000004
【図３】
2005026885.tif 000005
【図４】
2005026885.tif 000006
【図５】
2005026885.tif 000007
【図６】
2005026885.tif 000008
【図７】
2005026885.tif 000009
【図８】
2005026885.tif 000010